(57)【要約】【課題】耐久性や使い勝手を実現しつつ、水に浮きながら水面付近を移動しやすいルアーを提供する。【解決手段】本考案のルアー１は、本体部２と、本体部２に接続される釣り針３と、本体部２と釣り糸６とを接続する接続部４と、を備え、本体部２の内部に、空気を収容する収容部材７を有する。【選択図】図１
0003171369.tif 000002
【実用新案登録請求の範囲】
【請求項１】
本体部と、
前記本体部に接続される釣り針と、
前記本体部と釣り糸とを接続する接続部と、を備え、
前記本体部の内部に、空気を収容する収容部材を有するルアー。
【請求項２】
前記本体部は、木材、竹材およびこれらと同等の人工素材で形成されている、請求項１記載のルアー。
【請求項３】
前記収容部材は、収容する空気によって、前記本体部へ浮力を与える、請求項１又は２記載のルアー。
【請求項４】
前記収容部材は、前記本体部の中央よりも前記接続部に近い側に設けられる、請求項１から３のいずれか記載のルアー。
【請求項５】
前記収容部材は、前記本体部の中央よりも前記接続部に遠い側に設けられる、請求項１から３のいずれか記載のルアー。
【請求項６】
前記収容部材は、空気を収容した袋状部材を有する、請求項１から５のいずれか記載のルアー。
【請求項７】
前記本体部は、紡錘形状を有している、請求項１から６のいずれか記載のルアー。
【請求項８】
前記本体部は、長手方向および短手方向を有している、請求項１から７のいずれか記載のルアー。
【請求項９】
前記本体部は、前記長手方向に分離および嵌合可能である第１部材と第２部材を有し、前記収容部材は、前記第１部材および前記第２部材の嵌合面に格納される、請求項８記載のルアー。
【請求項１０】
前記収容部材は、前記本体部が前記第１部材および前記第２部材に分離される際に、取り外し可能である、請求項９記載のルアー。
【考案の詳細な説明】
【技術分野】
【０００１】
本考案は、釣りに用いる疑似餌の一種であるルアーに関する。
【背景技術】
【０００２】
我が国および諸外国において、昔よりスポーツフィッシングや釣りは、多くの愛好家を集める趣味である。スポーツフィッシングや釣りにおいては、生餌を用いる釣り、疑似餌（フライ）を用いる釣り、撒き餌を用いる釣り、ルアーを用いる釣りなど、様々な態様がある。
【０００３】
これらの態様における釣りの中でも、近年、ルアーを用いるルアーフィッシングが盛んである。過去においては、ルアーを用いたブラックバスやスズキなどの大型の魚を釣ることが流行していた。当然、これらは現在も流行している。ルアーを用いる釣りにおいては、ルアーを選択する選択眼やルアーと実際の仕掛けの作成における作成能力など、道具の選定における目利きが要求される。
【０００４】
このとき道具の選定のみならず、ルアーによる効率的な釣りのためには、使用者が、ルアーを最適に動作させることが必要である。ルアーは、疑似餌の一種である。フライが、例えば魚が食する虫やミミズなどを模擬している疑似餌であるのに対して、ルアーは、小魚や蛙など、魚が食する小動物を模擬している疑似餌である。このため、フライと異なり、ルアーは小動物らしい動作を示すことで、魚をひきつける。小動物らしい動作を示すルアーに対して、釣りの対象となる魚が飛びついて、使用者は魚を釣ることができる。
【０００５】
ここで、釣りの対象となる魚の種類によって、ルアーが示す動作や動作特性が定められることが好適である。例えば、海や川において、水中を移動したり水中に滞在したりしていることの多い魚に対してのルアーは、ある程度水中に沈んで、ルアーの糸が巻き取られる際に水中を移動することが求められる。この場合には、ルアーの素材や構造が、水中に沈む（すなわち、比重が１より大きく、水中を移動しやすい構造であること）ことが必要である。
【０００６】
あるいは、水中深くに滞在している魚を対象とするルアーは、より高い比重を有していたり、水中に滞在しやすい構造を有したりすることで、水中の深い部分を移動して魚を誘引する。
【０００７】
一方、釣りの対象となる魚においては、水面近くを回遊する魚も多い。海面近くを移動する鰯などの小魚を餌とする中型魚や大型魚は、水面近くを回遊することもある。あるいは回遊しなくとも、必要に応じて水面近くを移動することがある。このような水面近くを回遊したり移動したりする魚を釣るのには、水面に浮いて水面を移動できるルアーが求められる。
【０００８】
水面に浮くルアーが実現されるには、水に浮く比重を有する素材や構造でルアーが構成されることが求められる。あるいは、水面近くでの動作を生じさせやすい構造を有するルアーが求められている。このようなルアーに関する技術が提案されている（例えば、特許文献１参照）。
【先行技術文献】
【特許文献】
【０００９】
【特許文献１】実開２００６−６１９９号公報
【考案の概要】
【考案が解決しようとする課題】
【００１０】
特許文献１に開示されるルアーは、頭部側と尾側とに分割された構造を有することで、水面近辺を移動しやすくなる動作を示すことができる。
【００１１】
従来技術においては、水面近辺を移動しやすいルアーを実現するために、特許文献１に開示される技術のように、ルアーの本体を複数のユニットに分割することが行われる。分割された一部が水面に引っ掛かり、他の部分が水中に入ることで、ルアーは、水面近辺を移動しやすくなる。
【００１２】
しかしながら、このように本体部分が複数のユニットに分割されたルアーは、構造が複雑であるので、製造コストが高くなる問題がある。また、構造が複雑であることで、壊れたり故障したりすることも多い。例えば、水草に引っ掛かりやすくなり、これが元で紛失したり壊れたりすることもありえる。もちろん、保管や使用に慣れるまでに時間が掛かる問題もある。初級や中級の使用者にとっては、使い勝手が良いものではない。
【００１３】
また、水面付近を移動しやすいルアーを実現するために、スプーン形状を有する技術も存在する。スプーン形状によって、水面に浮きやすくなり、水面を移動することができるからである。
【００１４】
しかしながら、スプーン形状を有するルアーは、水面のみを移動して、水面および水中の境界にまたがる領域を移動することができない。このため、水面近辺を移動する魚を釣ることが簡単ではない問題がある。また、空気抵抗を受けやすくなるので、キャスティングの際に、遠くまで飛ばすことができない問題もある。
【００１５】
あるいは、水面付近を移動しやすいルアーを実現するために、樹脂などの比重の軽い素材を用いることも行われる。比重が軽いことで、ルアーが水に浮いて、水面付近を移動しやすくなるからである。
【００１６】
しかしながら、樹脂は、耐久性に劣り壊れやすい問題も有している。キャスティングの際に、障害物に衝突することで壊れたりしてしまう問題もある。釣りの最中に壊れてしまうと、使用者にとっての楽しみが台無しになる問題もある。もちろん、樹脂は比重が軽いので、遠くまで飛ばすことが難しい問題もある。
【００１７】
以上のように、従来技術のルアーは、耐久性、使い勝手、キャスティングの容易性を兼ね備えつつ、水に浮きやすく水面を移動しやすくなることが困難である問題があった。
【００１８】
本考案は、このような課題を解決することを目的とし、耐久性や使い勝手を実現しつつ、水に浮きながら水面付近を移動しやすいルアーを提供することを目的とする。
【課題を解決するための手段】
【００１９】
上記問題を解決するために、本考案のルアーは、本体部と、本体部に接続される釣り針と、本体部と釣り糸とを接続する接続部と、を備え、本体部の内部に、空気を収容する収容部材を有する。
【考案の効果】
【００２０】
本考案のルアーは、水面に浮くことのできる比重を有しながらも、強度と耐久性のある素材と構造を有しているので、キャスティングが容易であって遠くの目標まで到達することができる。また、水面付近を移動する挙動を示すことができる。
【００２１】
加えて、ルアーの本体部の内部に空気を格納する部材を備えているので、本体部から空気が外に漏れてしまうこともない。このため、長期間にわたって使用が可能となる。
【図面の簡単な説明】
【００２２】
【図１】本考案の実施の形態１におけるルアーの正面図である。
【図２】本考案の実施の形態１における収容部材の内部模式図である。
【図３】本考案の実施の形態１におけるルアーの模式図である。
【図４】本考案の実施の形態１におけるルアーの移動を示す模式図である。
【図５】本考案の実施の形態１におけるルアーの正面図である。
【図６】本考案の実施の形態１におけるルアーの正面図である。
【図７】本考案の実施の形態１におけるルアーの挙動を示す模式図である。
【図８】本考案の実施の形態２におけるルアーの正面図である。
【考案を実施するための形態】
【００２３】
本考案の第１の考案に係るルアーは、本体部と、本体部に接続される釣り針と、本体部と釣り糸とを接続する接続部と、を備え、本体部の内部に、空気を収容する収容部材を有する。
【００２４】
この構成により、ルアーは、水に対する浮力を有するようになり、水面近くを移動する挙動を示すようになる。
【００２５】
本考案の第２の考案に係るルアーでは、第１の考案に加えて、本体部は、木材、竹材およびこれらと同等の人工素材で形成されている。
【００２６】
この構成により、ルアーは、本体部が生じさせる強度および耐久性と、収容部材が生じさせる浮力とのバランスを有することができる。
【００２７】
本考案の第３の考案に係るルアーでは、第１又は第２の考案に加えて、収容部材は、収容する空気によって、本体部へ浮力を与える。
【００２８】
この構成により、ルアーは、水面近くを移動する挙動を有する。
【００２９】
本考案の第４の考案に係るルアーでは、第１から第３のいずれかの考案に加えて、収容部材は、本体部の中央よりも接続部に近い側に設けられる。
【００３０】
この構成により、ルアーは、水面に対して上下に揺れる挙動で移動しやすくなる。
【００３１】
本考案の第５の考案に係るルアーでは、第１から第３のいずれかの考案に加えて、収容部材は、本体部の中央よりも接続部に遠い側に設けられる。
【００３２】
この構成により、ルアーは、水面に対して上下に揺れる挙動で移動しやすくなる。
【００３３】
本考案の第６の考案に係るルアーでは、第１から第５のいずれかの考案に加えて、収容部材は、空気を収容した袋状部材を有する。
【００３４】
この構成により、収容部材は、容易に浮力を生じさせることができる。
【００３５】
本考案の第７の考案に係るルアーでは、第１から第６のいずれかの考案に加えて、本体部は、紡錘形状を有している。
【００３６】
この構成により、ルアーは、水面や水中を容易に進むことができるようになる。また、小魚の外形を模しているので、魚の餌としての役割を果たしやすい。
【００３７】
本考案の第８の考案に係るルアーでは、第１から第７のいずれかの考案に加えて、本体部は、長手方向および短手方向を有している。
【００３８】
この構成により、ルアーは、水中や水面を移動しやすい。
【００３９】
本考案の第９の考案に係るルアーでは、第８の考案に加えて、本体部は、長手方向に分離および嵌合可能である第１部材と第２部材を有し、収容部材は、第１部材および第２部材の嵌合面に格納される。
【００４０】
この構成により、ルアーは、容易に製造できる。加えて、使用者にとっての使い勝手も良くなる。
【００４１】
本考案の第１０の考案に係るルアーでは、第９の考案に加えて、収容部材は、本体部が第１部材および第２部材に分離される際に、取り外し可能である。
【００４２】
この構成により、ルアーは、使用者によるカスタマイズを受けることができる。
【００４３】
以下、図面を用いて、本考案の実施の形態について説明する。
【００４４】
（実施の形態）
【００４５】
実施の形態について説明する。
【００４６】
（全体概要）
【００４７】
図１を用いて、実施の形態１におけるルアーの全体概要について説明する。図１は、本考案の実施の形態１におけるルアーの正面図である。図１は、本体部内部の収容部材を透視した状態で示している。
【００４８】
ルアー１は、本体部２と、釣り針３と、接続部４と、収容部材７とを備えている。本体部２は、ルアー１の外形を形成する。この本体部２の形状が、ルアー１の全体形状の大まかな外枠を生じさせる。本体部２は、固定部５を備えており、この固定部５は、釣り針３を接続する。固定部５による釣り針３の接続によって、ルアー１は、釣り針３を備えるようになる。
【００４９】
また、本体部２は、釣り糸６と本体部２とを接続する接続部４を備えている。接続部４は、例えば針金が輪の形状を有して接続部４となることで、釣り糸６が接続部４に結び付けられる。釣り糸６が結び付けられることで、使用者は、ルアー１を、釣竿を使って操作することができるようになる。
【００５０】
本体部２は、加えて、その内部に空気を収容する収容部材７を備えている。収容部材７は、空気を収容できる内部に空隙を有する部材である。空隙に空気を収容できることで、収容部材７は、水に対する浮力を生じさせる。
【００５１】
ルアー１は、本体部２に空気を収容する収容部材７が備わっていることで、水に対する浮力を有するようになる。ルアー１は、収容部材７の浮力および本体部２の比重との合計によって、その浮力が決定される。このため、収容部材７および本体部２が適切に調整されれば、ルアー１は、水に対して、（１）十分に浮く、（２）ある程度浮く、（３）ほとんど浮かない、というバリエーション豊かな浮力を有することができる。
【００５２】
このように、実施の形態１におけるルアー１は、収容部材７の働きによって、水に対する浮力を有することになる。この結果、ルアー１は、水面近くを移動する挙動を示すようになる。ルアー１が水面近くを移動することで、水面近くを回遊する回遊魚や、水面を泳ぐ小魚を餌とする魚類を、釣りやすくなる。
【００５３】
次に、各部の詳細について説明する。
【００５４】
（本体部）
本体部２は、上述の通り、ルアー１の外形を形成する。本体部２は、釣り糸に取り付けられた上で、使用者によって投げられてルアー釣りに使用される。本体部２が、河川、湖沼、海などの釣りを行う場所において、水面の特定の位置に投げられることで、釣りが行われる。
【００５５】
本体部２は、釣り糸の先に接続されて、使用者による釣竿の操作によって、目的の位置に投げられる。目的の位置に到達した本体部２は、その先端に釣り針３を有している。使用者が釣り糸につながるリールを巻き取る作業を行うことで、本体部２と釣り針３とが一緒になって、使用者の手元に戻ってくる。本体部２は、魚の餌となる小魚を模していることが多く、ルアー１が戻ってくる際に、本体部２を餌だと思った魚が、釣り針３に引っ掛かる。この結果、ルアー１は、魚を釣り上げることができる。
【００５６】
このため、本体部２は、釣りの対象となる魚の餌を模した形状や模様をしていることが好ましい。当然ながら、本体部２は、形状と模様（色味も含む）の両方において、釣りの対象となる魚の餌を模していても良いし、いずれか一つのみが、釣りの対象となる魚の餌を模していても良い。
【００５７】
例えば、本体部２は、小魚の外形を模した形状を有していることが好ましい。すなわち、紡錘形を有していてもよい。本体部２が紡錘形を有していることで、ルアー１は、遠くまで投擲されやすくなるし、水面付近を移動して戻ってくる際の動作もスムーズになる。もちろん、紡錘形であれば、小魚の外形に近いので、釣りの対象となる魚も狙うようになる。このように、本体部２が紡錘形を有していることで、動作のスムーズさと外形特徴が相まって、釣りの効果を高めることができる。
【００５８】
特に、本体部２は、収容部材７によって浮力を有する。このため、ルアー１は、水面付近を移動することになる。水面付近を移動することで、ルアー１は、水面付近を回遊する回遊魚や水面付近の小魚を狙う魚類をひきつける。この水面付近を移動するに際しても、本体部２が紡錘形を有していることは、好適である。動作がスムーズになるからである。
【００５９】
また、本体部２は、紡錘形以外の形状を有していてもよい。例えば、平たい形状であったり、複数の部位に分かれている形状であったりする。このような形状であっても、ルアー１は、水面近くを移動する挙動を生じさせやすくなる。もちろん、他の形状を有していてもよい。
【００６０】
本体部２は、木材、竹材およびこれらと同等の人工素材で形成されていることも好適である。
【００６１】
ルアー１は、水面近くを移動する挙動を示すことが求められる。本体部２は、空気を収容する収容部材７を備えているので、浮力を有する。しかしながら、本体部２が空気を有する収容部材７を内部に有するとしても、本体部２が比重の大きな素材で形成されていると、ルアー１は、水面付近を移動しにくくなる。このため、本体部２は、一定の浮力を生じさせる比重の素材で形成されることが好ましい。
【００６２】
木材や竹材は比重が軽く、収容部材７の浮力と相まって、本体部２は浮力を生じさせて水面付近を移動しやすくなる。また、天然の木材や竹材だけでなく、人工的に開発された木材や竹材と同等の素材であっても、本体部２は浮力を生じさせて水面付近を移動しやすくなる。また、木材や竹材は、軟質樹脂などと異なり、耐久性や耐水性を有している。ルアー１は、過酷な環境下で使用されるので、耐久性や耐水性を必要とする。本体部２が木材や竹材で形成されていることで、ルアー１が浮力を有するようになるだけでなく、ルアー１の耐久性や耐水性を向上させることができる。
【００６３】
もちろん、本体部２は、木材と竹材とが混合された素材で形成されても良いし、一部に金属や樹脂を含んでも良い。例えば、接続部４との取り付け部分は、構造や強度上の問題で、金属や樹脂で形成されても良い。すなわち、木材や竹材であることが好ましいということは、本体部２の大体の部分がこれ等の素材で形成されていることであり、本体部２の全てが木材や竹材で形成されていることに限定するものではない。もちろん、上述の通り、木材や竹材と同等の人工素材であってもよい。
【００６４】
このように、本体部２の素材が、浮力と共に耐久性や強度を有することで、使用者にとっては使い勝手のよいルアー１が実現される。また、浮力がある素材であるので、収容部材７の浮力と相まって、ルアー１が、水面付近を容易に移動するようになる。この結果、ルアー１の使用者は、水面付近の餌を狙う魚を釣り上げることができるようになる。
【００６５】
また、本体部２は、餌に模されるために、外部に餌を思わせる塗装や模様が配されていることも好適である。あるいは、餌を思わせる付属物が設けられても良い。小魚を思わせる背びれや腹びれなどである。
【００６６】
また、図１に示されるように、本体部２は、釣り針３が取り付けられている。ルアー１が水中や水面付近を移動する際に、釣りの対象となる魚は、この釣り針３によって釣られる。釣り針３は、本体部２に直接的に取り付けられていてもよいし、接続用の部材を介して間接的に取り付けられても良い。
【００６７】
また、上記では、本体部２が木材や竹材などの比重の小さい素材である場合を説明したが、金属などの比重の大きい素材であってもよい。例えば、金属のように比重が大きい素材で本体部２が形成される場合には、ルアー１は、投擲された後で水中に沈む。この場合のルアー１は、水中に沈んでから、釣り糸６の巻き取りによって、水中を移動する。すなわち、上述のように、水面付近を移動するのと異なる。
【００６８】
しかしながら、このようなルアー１であっても、本体部２内部に空気を収容する収容部材７を備えているので、水中を移動しながらも、この収容部材７の浮力の影響を受ける。すなわち、ルアー１は、水中を移動しながら、収容部材７から生じる浮力によって、水中で上下に揺れたり左右に揺れたりする挙動を示す。このような挙動は、釣りの対象となる魚をひきつける。結果として、水中を回遊したり、水中の餌を狙う魚を釣ることに適したルアー１となる。
【００６９】
（接続部）
接続部４は、本体部２を釣り糸６に接続する部材である。例えば、釣り糸６が結び付けられるように、接続部４は輪の形状を有していればよい。すなわち、接続部４は、リング状であればよい。
【００７０】
接続部４は、本体部２に取り付けられれば良く、接続部４がリング状である場合には、リング状の接続部４の一部が本体部２の端部に組み込まれていれば良い。あるいは、本体部２の一部に穴が設けられ、この穴が釣り糸６を結びつける接続部４の役割を果たすことでも良い。
【００７１】
これらのように、接続部４によって、本体部２（すなわちルアー１）は、釣り糸６に結び付けられて使用者によって使用されるようになる。
【００７２】
（収容部材）
次に、収容部材７について説明する。収容部材７は、本体部２の内部に備えられる。この収容部材７は、その内部に空気を収容して、本体部２に浮力を与える。なお、空気とはいわゆる大気中に存在する空気だけでなく、人工的に製造された空気や浮力の強い気体やガスを含むこともある。要は、収容部材７がその内部に含むのは、水に対する浮力を生じさせる気体であればよい。なお、製造の都合で混入する液体や固体を排除する趣旨ではない。
【００７３】
収容部材７は、内部に収容する空気によって、本体部２へ浮力を与える。本体部２は、その素材によっても当然浮力を有する。しかし、本体部２は、所定の強度や重量を必要とする。釣竿を介して、ルアー１は河川や海に投げ込まれるからである。このため、本体部２の素材だけでは、ルアー１の浮力を十分に生じさせることは難しい。特に、強度や耐久性を目的とする場合には、本体部２の素材は、それなりに重くなることもあるからである。木材や竹材であっても、本体部２は浮力を有するが、実際の水中での動作は、水中にもぐるようになってしまう。
【００７４】
本体部２は、この収容部材７を内部に備えることで、ルアー１に浮力を与えることができるようになる。すなわち、収容部材７は、本体部２の強度や耐久性を確保する際に減少する浮力を補う役割を有する。この役割によって、ルアー１は、水に対する浮力を有し、釣り糸の巻き取り時に、水面近くを移動する挙動を示すようになる。
【００７５】
収容部材７は、内部に空気を収容できると共に本体部２の内部に備わることができる様々な形状や構造を有する。例えば、収容部材７は、球形の形状を有している。球形であることで、内部に空気を収容しつつ、本体部２の内部に格納しやすいからである。
【００７６】
あるいは、収容部材７は、楕円形を有していてもよい。本体部２は、魚の餌を模した形状を有することが必要であり、紡錘形状を有していることが多い。収容部材７が楕円形を有していると、この紡錘形状に好適に格納できる。もちろん、球形であっても大きさが適切であれば好適に格納できる。
【００７７】
あるいは、収容部材７は、立方体や直方体のような多角形を有していてもよい。立方体や直方体であれば製造が容易であるからである。このような形状であっても、収容部材７は、本体部２に格納される。
【００７８】
ここで、収容部材７は、内部が発泡することで内部に空気を収容する部材となってもよいし、２つの部材が貼りあわされることで、内部に空気を収容することでも良い。あるいは、内部が空洞である球形や多角形の収容部材７が製造され、その後内部の空洞に空気が注入されることで、収容部材７は空気を収容することでも良い。例えば、収容部材７の外部に孔が空けられて、この孔を通じて空気が内部の空洞に注入されれば良い。
【００７９】
あるいは、収容部材７は、その内部に空気を収容する袋状部材を有することでもよい。図２は、本考案の実施の形態１における収容部材の内部模式図である。収容部材７は、外壁７１によって形成される内部空間を有している。この内部空間に、袋状部材７２が格納される。この袋状部材７２は、その内部に空気を収容している。すなわち、袋状部材７２は、風船のような構造を有する。
【００８０】
袋状部材７２は、空気を収容することも空気を排出することも可能であると、収容部材７の浮力を加減することができる。特に、外部から袋状部材７２の内部に空気を収容したり排出したりできることで、収容部材７すなわちルアー１の浮力を調整することができる。
【００８１】
なお、図１に示されるように、収容部材７は複数であっても良い。もちろん、単数であっても良い。
【００８２】
（収容部材の位置）
また、本体部２の内部での、収容部材７の配置位置が工夫されることも好適である。
【００８３】
収容部材７が、本体部２の略中央に配置されることも好適である。図３は、本考案の実施の形態１におけるルアーの模式図である。本体部２の内部に格納される収容部材７は、本体部２の略中央に配置されている。収容部材７が、本体部２の略中央に配置されることで、本体部２の浮力がルアー１のほぼ中央に生じる。このためルアー１は、バランスよく水面に浮くようになる。このように本体部２の略中央に収容部材７が配置される場合には、ルアー１は、水面に沿って浮きながら、移動するようになる。
【００８４】
図４は、本考案の実施の形態１におけるルアーの移動を示す模式図である。図４は、水面を上から見た状態を示している。ルアー１は、その本体部２の略中央に収容部材７を備えている（図３で示したような形態を、図４のルアー１は有している）。このため、ルアー１は、水面に沿った平面方向に対して、バランスよい浮力を有することになる。すなわち、ルアー１が釣り糸の巻上げによって移動する際に、水面に本体部２の一部がもぐったり浮いたりを繰り返すのではなく、本体部２全体が水面に浮いている（あるいは水面に沿っている）状態で、移動する。
【００８５】
このため、ルアー１は、図４に示されるように、水面に沿って左右にふれながら、移動する挙動を示す。釣りの対象となる魚の習性によっては、このように水面付近を左右にふれながら移動するルアー１を狙うこともある。このような魚については、図３に示されるように本体部２の略中央に収容部材７を備えるルアー１は、非常に適している。
【００８６】
また、収容部材７は、本体部２の略中央よりも接続部４に近い側に設けられることも好適である。図５は、本考案の実施の形態１におけるルアーの正面図である。本体部２内部の収容部材７が破線で示されている。
【００８７】
収容部材７は、本体部２の接続部４に近い側に設けられる。すなわち、収容部材７は、釣り糸によって巻き取られる側に偏っている。このような場合には、浮力が本体部２の長手方向においてアンバランスになるので、本体部２は、釣り糸の巻き取りにおける動作が、長手方向に沿ってアンバランスとなる。
【００８８】
すなわち、本体部２の前方（釣り糸から見て）が浮きやすく、後方が沈みやすいことになる。このような状態のルアー１を移動させると、前後にふれながら（すなわち、水面に先端や後端がもぐったり浮いたりする）移動するようになる。
【００８９】
あるいは、収容部材７は、本体部２の略中央よりも接続部４から遠い側に設けられることも好適である。図６は、本考案の実施の形態１におけるルアーの正面図である。
【００９０】
図６に示されるように、収容部材７は、本体部２の略中央よりも接続部４から遠い側に設けられる。すなわち、収容部材７は、本体部２の後端に設けられる。この結果、本体部２は、後端が浮きやすく、前端が沈みやすくなる。すなわち、本体部２の長手方向に沿って浮力がアンバランスとなる。この結果、本体部２は、釣り糸の巻取りにおける動作が、長手方向に沿ってアンバランスとなる。
【００９１】
図７は、本考案の実施の形態１におけるルアーの挙動を示す模式図である。
【００９２】
図５や図６に示されるように、本体部２の長手方向の前方もしくは後方に偏って収容部材７が設けられる場合には、ルアー１が釣り糸の巻取りによって移動する場合に、本体部２の前方が水面に沈んだり後方が水面に沈んだりする上下動作を繰り返すようになる。
【００９３】
図７では、水面を横から見た状態を示している。直線で示された水面に対して、本体部２の長手方向の前方が水中に沈んだり、長手方向の後方が水中に沈んだりを繰り返している状態がわかる。図７に示す通りの挙動を生じるルアー１に対して興味を示す魚にとっては、この挙動を行うルアー１を狙うようになる。このような魚を相手にする場合には、図５、図６に示されるように、本体部２の長手方向のいずれかに偏った位置に収容部材７が設けられることが好適である。
【００９４】
以上のように、実施の形態１におけるルアー１は、本体部２の素材および収容部材７とが相まって、強度や耐久性と水に対する浮力とをバランスよく実現できる。この結果、水面付近を移動する挙動を示すルアーが実現され、水面近くを移動するルアーを狙う魚を釣るのに最適となる。
【００９５】
また、本体部２の素材が、比重の高い素材である場合には、ルアー１は、図４や図７で説明した動作を、水面付近ではなく水中で行うようになる。すなわち、ルアー１は、水中に沈んだ後で釣り糸６の巻き取りによって水中を移動する。本体部２の比重が大きいことで、ルアー１は、水面付近ではなく水中を移動する。このとき、収容部材７は、浮力を生じさせるので、ルアー１の移動に対して、様々な挙動を与える。例えば、図４のように左右に本体部２を揺らしたり、図７のように本体部２を上下に揺らしたりする。
【００９６】
このような水中での左右や上下の揺れを生じさせることで、ルアー１は、水中を回遊したり水中の餌を狙ったりする魚を引き寄せる。この結果、水中での捕食が主な魚に対しても、ルアー１は適している。
【００９７】
以上のように、収容部材７は、空気を収容しているので、ルアー１に対して浮力を生じさせる。この浮力は、本体部２の素材による比重とのバランスで、ルアー１全体の水に対する浮力を決定できる。本体部２の素材の比重が小さければ、ルアー１は水面付近を移動する挙動を示し（しかも、収容部材７によって、左右や上下に揺れる餌を模した挙動を含む）、本体部２の素材の比重が大きければ、ルアー１は、水中を移動する挙動を示す（同様に、収容部材７によって、左右や上下に揺れる餌を模した挙動を含む）。これらの結果、ルアー１は、狙う魚に合わせて最適に使用される。
【００９８】
（実施の形態２）
【００９９】
次に、実施の形態２について説明する。
【０１００】
実施の形態２では、収容部材の本体部への格納の特徴について説明する。
【０１０１】
本体部２は、紡錘形状などのように、長手方向および短手方向を有していることが好ましい。このような特性であることで、左右にふれたり上下に触れたりするなどの、様々な挙動を示すようになるからである。
【０１０２】
また、本体部２は、長手方向に分離および嵌合可能な第１部材および第２部材を有することも好ましい。図８は、本考案の実施の形態２におけるルアーの正面図である。図８は、ルアー１の本体部２が長手方向に分離している状態を示している。なお、図１等で説明した要素で特に説明の不要な要素は省略している。
【０１０３】
本体部２は、第１部材２１と第２部材２２とに分離される。この第１部材２１と第２部材２２とは、嵌合可能であり、嵌合によって一体化されて本体部２が形成される。
【０１０４】
第１部材２１と第２部材２２とは、本体部２の長手方向に沿って分離している。このため、嵌合した後でも、強度の問題が無い。第１部材２１と第２部材２２とによって形成されることで、本体部２の製造が容易である。
【０１０５】
また、第１部材２１と第２部材２２の嵌合面（すなわち、合わせ面）において、収容部材７が格納される。第１部材２１と第２部材２２の嵌合面は、凹部２４を有している。この凹部２４は、第１部材２１と第２部材２２のそれぞれに設けられて、第１部材２１と第２部材２２とが勘合されることで、一体化する。一体化すると空隙が生じる。収容部材７は、この一体化して生じる空隙に格納される。
【０１０６】
例えば、球形の収容部材７は、第１部材２１の凹部２４にその半分が挿入されて、その後第２部材２２が第１部材２１と嵌合されることで、収容部材７は、本体部２の内部に格納されるようになる。
【０１０７】
このような工程によって収容部材７が格納されることで、収容部材７が、本体部２の内部に容易に格納されるようになる。すなわち、ルアー１の製造が容易となる。
【０１０８】
また、第１部材２１と第２部材２２の嵌合面にバランスよく収容部材７が格納されることで、収容部材７の格納位置が、本体部２の短手方向におけるバランスの良い位置に配置されるようになる。本体部２の短手方向における左右均等な位置である。この結果、ルアー１の投擲などにおける不具合も生じない。もちろん、釣り糸の巻き取り時における挙動のアンバランスも生じにくい。
【０１０９】
図８で示される第１部材２１と第２部材２２とが嵌合すると、図１で示されるような本体部２が完成し、必要な部材が取り付けられて、ルアー１が完成する。
【０１１０】
また、第１部材２１と第２部材２２は、使用者によって分離および嵌合可能であることでもよい。この場合に、使用者は、第１部材２１と第２部材２２とを分離させると、内部に格納されている収容部材７を取り外し可能である。例えば、収容部材７の大きさ、形状、浮力などが様々に用意されていると、第１部材２１と第２部材２２とを分離することで、収容部材７が取替え可能となる。
【０１１１】
取替え可能であれば、使用者は、ルアー１のメンテナンスや改良ができるようになり、自身に合ったルアー１を使用することができるようになる。釣りにおいては、使用者は、自身に合った道具を使いたがるので、この点からも好適である。
【０１１２】
これらのルアー１を実現するために、バリエーション豊かな収容部材７が同時に販売されることもよい。
【０１１３】
以上のように、実施の形態２におけるルアー１は、製造の容易性や使用時のフレキシビリティを高めるメリットがある。
【０１１４】
以上、実施の形態で説明されたルアーは、本考案の趣旨を説明する一例であり、本考案の趣旨を逸脱しない範囲での変形や改造を含む。
【符号の説明】
【０１１５】
１    ルアー
２    本体部
３    釣り針
４    接続部
６    釣り糸
７    収容部材
【図１】
0003171369.tif 000003
【図２】
0003171369.tif 000004
【図３】
0003171369.tif 000005
【図４】
0003171369.tif 000006
【図５】
0003171369.tif 000007
【図６】
0003171369.tif 000008
【図７】
0003171369.tif 000009
【図８】
0003171369.tif 000010